(57)【要約】【課題】  本発明は、簡易な構造で綴具をファイルの表紙に取り付けることを可能とするファイル用綴具の固定具、ファイル用見出し具を提供することを課題とする。また、本発明は、外観を損ねることなく綴具さらには背見出しを設けることを可能とするファイル用綴具の固定具、ファイルを提供することを課題とする。【解決手段】  本発明の固定具１は、長板状のプレート部１ａと、プレート部１ａの背面から突出し、ファイル本体２の貫通孔４ａに挿通される挿通部１ｂとを有していることを特徴とする。そして、プレート部１ａには、プレート部１ａの前面の四辺を囲む枠体１０が形成されており、この枠体１０の内方は、枠体１０の表面よりも挿通部１ｂ側に下がった面板部１１となっている。さらに、枠体１０の内側の上下部分と面板部１１との間にはプレート部１ａの短手方向に延びた切り溝１２ａ，１２ｂが設けられている。【選択図】  図１
2006334988.tif 000002
【特許請求の範囲】
【請求項１】
互いに筋目によって境となっている表紙，背表紙，裏表紙からなるファイル本体に、シートを一纏めに綴じて前記ファイル本体内に収める綴具を固定する固定具であって、
前記ファイル本体及び前記綴具には、互いに対応する位置に貫通孔が設けられており、前記ファイル本体外側からこれらの貫通孔に挿通する挿通部と、この挿通部の基端に設けられ前記挿通部に対して垂直に配されたプレート部とを有する取付手段と、
前記挿通部と係合し、前記ファイル本体に対して前記綴具を固定する係合手段とを備えることを特徴とするファイル用綴具の固定具。
【請求項２】
前記プレート部は、前記背表紙の長手方向に沿って延びていることを特徴とする請求項１に記載のファイル用綴具の固定具。
【請求項３】
前記プレート部は、前記挿通部が設けられている側とは反対側の面の周縁に沿って設けられた枠体を有することを特徴とする請求項１又は２に記載のファイル用綴具の固定具。
【請求項４】
前記プレート部の、前記挿通部が設けられている側の面には、前記挿通部と対向する位置に鉤状の引っ掛け部が設けられており、この引っ掛け部は、前記ファイル本体に設けられた溝部に係合することを特徴とする請求項１〜３の何れかに記載のファイル用綴具の固定具。
【請求項５】
互いに筋目によって境となっている表紙，背表紙，裏表紙からなるファイル本体と、
シートを一纏めに綴じて前記ファイル本体内に収める綴具と、
前記綴具と前記ファイル本体とを固定する固定具とを備えるファイルであって、
前記ファイル本体及び前記綴具には、互いに対応する位置に貫通孔が設けられており、前記ファイル本体外側からこれらの貫通孔に挿通する挿通部と、この挿通部の基端に設けられ前記挿通部に対して垂直に配されたプレート部とを有する取付手段と、
前記挿通部と係合し、前記ファイル本体に対して前記綴具を固定する係合手段とを備えることを特徴とするファイル。
【発明の詳細な説明】
【技術分野】
【０００１】
本発明は、紙類を綴じるファイルの背表紙に取り付けるファイル用綴具の固定具及びその固定具により綴具を固定されたファイルに関する。
【背景技術】
【０００２】
比較的厚みがある書類や紙類を綴じるファイルには、表紙と裏表紙とを互いにとじ合わせた側を包む背表紙が設けられている。大抵のファイルは、この背表紙が書類のタイトルやファイル名等を記入するインデックスのスペースとなっている。
【０００３】
例えば、特許文献１に示すように、表紙の背部（背表紙）の表面には穴が設けられている。この穴に、タイトルやファイル名を記載するインデックスを保持する枠体を固定するための見出し保持具に設けられた嵌合部を嵌合させることにより、見出し保持具を背部に取り付ける。
【０００４】
また、特許文献２に示すように、ファイルの背表紙に、窓孔が形成されたボール紙を貼り付け、さらにその上から表張りシートを重ね張りする。すると、窓孔が窪んだ状態となるため、この窪みにタイトルやファイル名を記載する見出し紙を保持させることができる。
【特許文献１】実公昭５０−１６６５８号公報
【特許文献２】特公昭５８−２３２３９号公報
【発明の開示】
【発明が解決しようとする課題】
【０００５】
このように、ファイルの背表紙に見出し（インデックス）を設けるためには、タイトルやファイル名等を記入する見出し紙又は見出し紙を保持する枠体を取り付けなければならない。
【０００６】
ところが、ファイルの種類によっては、背表紙の内側に紙類を綴じる綴具が固定されている。綴具は、背表紙の外側から雌カシメに相当する部品をかしめつけ、内側から雄カシメに相当する部品を植え付けることにより固定されている場合が多い。
【０００７】
そのため、背表紙には、見出し（見出し紙を保持する枠体も含む）を固定する部品と、綴具を固定する部品とが取り付けられることになる。これにより、それぞれを固定する位置や固定構造等が互いに干渉しないように注意を払わねばならなかった。
【０００８】
また、それぞれの部品が背表紙の外表面に配置されるため、ファイルの外観が損なわれてしまうという欠点もあった。
【０００９】
そこで、本発明は、簡易な構造で綴具をファイルの表紙に取り付けることを可能とするファイル用綴具の固定具、ファイル用見出し具を提供することを課題とする。
【００１０】
また、本発明は、外観を損ねることなく綴具さらには背見出しを設けることを可能とするファイル用綴具の固定具、ファイルを提供することを課題とする。
【課題を解決するための手段】
【００１１】
本発明は上記事項に鑑みてなされたものであり、すなわち本発明は、互いに筋目によって境となっている表紙，背表紙，裏表紙からなるファイル本体に、シートを一纏めに綴じ
て前記ファイル本体内に収める綴具を固定する固定具であって、ファイル本体及び綴具には、互いに対応する位置に貫通孔が設けられており、ファイル本体外側からこれらの貫通孔に挿通する挿通部と、この挿通部の基端に設けられ挿通部に対して垂直に配されたプレート部とを有する取付手段と、挿通部と係合し、ファイル本体に対して綴具を固定する係合手段とを備えることを特徴とする。
【００１２】
本発明の取付手段は、挿通部とプレート部とを有している。挿通部は、貫通孔に挿通され係合手段と係合することにより綴具を固定する。またプレート部は、ファイル本体の表紙，背表紙，裏表紙に沿って配されるため、プレート部分にタイトルや見出し等を記載することができる。
【００１３】
このように、本発明の固定具によれば、綴具を固定する固定部品と、ファイルの見出しとなる部品とを一体とすることができるため、部品点数を減らすことができ、製造率を高めることが可能となる。
【００１４】
さらに、係合手段と取付手段とを着脱可能とすることにより、分別廃棄や再利用を促進することができる。
【００１５】
また、本発明に係るプレート部は、背表紙の長手方向に沿って延びていると好ましい。プレート部が背表紙に沿って長板状に形成されていることにより、その長板の表面を、タイトルやファイル名等を記載する背見出し（インデックス）として利用することができる。プレート部の大きさは、背表紙のサイズやファイルの用途に応じて様々なサイズや形状とすることもできる。
【００１６】
また、本発明に係るプレート部は、挿通部が設けられている側とは反対側の面の周縁に沿って設けられた枠体を有する構成とすることもできる。
【００１７】
プレート部の周縁に枠体が設けられると、プレート部の周縁が額となりその額の内部に紙片をセットすることができる。この紙片に、ファイル名やタイトルなどの見出しを記載することにより、取付手段自体を枠体付きの見出し（インデックス）として利用することができる。尚、このような構成とすることにより、見出し（タイトル）の内容を変更したい場合も、紙片だけを取り替えて新しい見出しを記載し、再び枠体内にセットするだけで何度でも見出しを書き換えることが可能となる。これにより、ファイルの使用期間を長引かせることができるため、省資源化を促進することができる。
【００１８】
また、この枠体内に紙片だけでなく、透明のフィルムを紙片の上に重ねてセットすることにより、紙片を劣化や損傷等から保護することが出来る。
【００１９】
また、本発明に係るプレート部の、挿通部が設けられている側の面には、挿通部と対向する位置に鉤状の引っ掛け部が設けられた構成とするとより好ましい。この引っ掛け部は、ファイル本体に設けられた溝部に自重によって引っ掛かるように下向きの鉤形状とする。
【００２０】
このように、挿通部だけでなく引っ掛け部によっても取付手段をファイル本体に保持しようと作用するため、取付手段のファイル本体に対する固定力が向上する。
【００２１】
また、本発明は、互いに筋目によって境となっている表紙，背表紙，裏表紙からなるファイル本体と、シートを一纏めに綴じてファイル本体内に収める綴具と、綴具とファイル本体とを固定する固定具とを備えるファイルであって、ファイル本体及び綴具には、互いに対応する位置に貫通孔が設けられており、ファイル本体外側からこれらの貫通孔に挿通
する挿通部と、この挿通部の基端に設けられ挿通部に対して垂直に配されたプレート部とを有する取付手段と、挿通部と係合し、ファイル本体に対して綴具を固定する係合手段とを備えることを特徴とするファイルである。
【００２２】
本発明の取付手段は、挿通部とプレート部とを有している。挿通部は、貫通孔に挿通され係合手段と係合することにより綴具を固定する。またプレート部は、ファイル本体の表紙，背表紙，裏表紙に沿って配されるため、プレート部分にタイトルや見出し等を記載することができる。
【００２３】
このように、本発明のファイルによれば、綴具を固定する固定部品と、ファイルの見出しとなる部品とを一体とすることができるため、部品点数を減らすことができ、製造率を高めることが可能となる。
【００２４】
さらに、係合手段と取付手段とを着脱可能とすることにより、分別廃棄や再利用を促進することができる。
【発明の効果】
【００２５】
本発明によれば、簡易な構造で綴り具をファイルの表紙に取り付けられると共に外観を損ねることなく綴具さらには背見出しを設けることを可能とするファイル用綴具の固定具、ファイルを提供することが可能となる。
【発明を実施するための最良の形態】
【００２６】
以下、本実施形態のファイル用綴具の固定具について図面を参照して詳説する。
【００２７】
図１に本実施形態の固定具１をファイル本体２と綴具３との取り付け状態を示す分解斜視図を示す。ファイル本体２は、互いに筋目（谷折り）によって境となっている表紙２ａ，背表紙２ｂ，裏表紙２ｃから構成されている。この背表紙２ｂの内側に綴具３が固定具１によって固定される。
【００２８】
まず、ファイル本体２について詳説する。図２に示すように、本実施形態に係るファイル本体２の背表紙２ｂには、その長手方向に沿って貫通孔４ａ，４ｂが形成されている。尚、本説明では、ファイル本体２の上下に応じて貫通孔４ａは貫通孔４ｂの上方に位置しているとして説明する。これらの貫通孔４ａ，４ｂには固定具１が挿通され、綴具３を取り付ける。
【００２９】
さらに、貫通孔４ａの上方には、背表紙２ｂの短手方向に延びたスリット５が形成されている。後述するが、このスリット５には固定具１の一部が嵌合する。
【００３０】
次に綴具３について詳説する。図３に示すように、綴具３は、長板形状の基台６からなり、貫通孔４ａ，４ｂに対応する位置に貫通孔６ａ，６ｂが設けられている。
【００３１】
さらに、綴具３の基台６には、両端からそれぞれ約１／４程度の位置に二つの紙綴じリング部材７，８が設けられている。この紙綴じリング部材７，８並びにそれらの開閉機構は従来から知られているものであり、その詳細な説明は割愛する。本実施形態の基台６の上面は全体的に中心に向かって厚みがますような曲面をなしている。一方、両端の固定部分近くの表面は貫通孔６ａ，６ｂに向かって下降する斜面となり、貫通孔６ａ，６ｂの周囲部９ａ，９ｂは平らな薄板状に形成されている。
【００３２】
次に、固定具１について詳説する。図４，５に示すように、本実施形態の固定具１は、長板状のプレート部（取付手段）１ａと、プレート部１ａの背面から突出し、ファイル本
体２の貫通孔４ａに挿通される挿通部（取付手段）１ｂとを有している。
【００３３】
そして、プレート部１ａには、プレート部１ａの前面の四辺を囲む枠体１０が形成されている。図６に固定具１の断面図を示す。この枠体１０の内方は、枠体１０の表面よりも挿通部１ｂ側に下がった面板部１１となっている。そして、枠体１０の内側の上下部分と面板部１１との間にはプレート部１ａの短手方向に延びた切り溝１２ａ，１２ｂが設けられている。この切り溝１２ａ，１２ｂは、枠体１０内に、タイトルやファイル名などを記載した紙片（以下、見出し用紙と称す）を入れやすく且つ取り出し易くすることができる。
【００３４】
例えば、面板部１１より長く、枠体１０より短く形成された見出し用紙を、枠体１０内に装着する場合、見出し用紙の上端を、面板部１１の背面側から切り溝１２ｂに挿入し、面板部１１の前面に沿って見出し用紙を挿入していく（図６中矢印Ｘ参照）。見出し用紙の下端が枠体１０と重なる位置まできたら、見出し用紙の上端を、切り溝１２ａに背面側に向かって差し込む（図６中矢印Ｙ参照）。見出し用紙は、面板部１１より長くて枠体１０よりは短い大きさに形成されているので、切り溝１２ａ，１２ｂに差し込まれた見出し用紙の上端、下端は、枠体１０の内縁部分で押さえられた状態となる。これにより、見出し用紙は保持されることになる。
【００３５】
また、面板部１１の背面からは、挿通部１ｂより上に鉤形状をなした引っ掛け部１ｃが設けられている。
【００３６】
引っ掛け部１ｃは、挿通部１ｂ（ファイル本体２を基準とすると下方向）に向かう鉤形状をなしている。この引っ掛け部１ｃは、ファイル本体２に設けられたスリット５に引っ掛けるようにして取り付ける。
【００３７】
また、引っ掛け部１ｃの下方に設けられた挿通部１ｂは、図１に示すように、背表紙２ｂに設けられた貫通孔４ａと、綴具３に設けられた貫通孔６ａとを位置合わせし、背表紙２ｂの外側から貫通孔６ａに挿入される。
【００３８】
図５に示すように、挿通部１ｂは、先端の角を面取りした形状をなした首部１３と、面板部１１の背面側に向かって首部１３から連続した括れ部１４と、さらに括れ部１４から連続した台脚部１５とから形成されている。尚、台脚部１５の直径は、ファイル本体２の貫通孔４ａ及び綴具３の貫通孔６ａの径よりも僅かに小さいものである。従って、挿通部１ｂを挿入した際は、この台脚部１５の高さより上の部分（首部１３と括れ部１４）が綴具３の貫通孔６ａから突出した形状となる。その状態における括れ部１４に、側方からスライド締止部材（図１参照）２０をそれぞれ差し込んで固定する。
【００３９】
ここでスライド締止部材２０について詳説する。図７に示すように、スライド締止部材２０は、先端が鍵穴のような先割れ形状になっており、その先端に設けられた開口部２１は図５に示す挿通部１ｂの括れ部１４の直径よりも大きな径を有し、そこから円形空間２２の方向に向かって徐々に狭くなった空間が形成されている。円形空間２２の入り口は挿通部１ｂの括れ部１４の直径より小さな径を有するとともに円形空間の直径は括れ部１４の直径に略相当するものである。
【００４０】
従って、スライド締止部材２０を挿通部１ｂに挟みつけるには、開口部２１を先頭にして挿通部１ｂの括れ部１４に対して一定の力で押圧すると、円形空間２２の入り口が押し広げられて括れ部１４が円形空間２２内に嵌合して係止される。このとき、括れ部１４の下側の境界面が斜面となっていることによりスライド締止部材２０が括れ部１４の適正な位置に自動的に誘導され、容易に取り付けることができる。
【００４１】
さらに、図８に示すように、このスライド締止部材２０の後端部には、前記先割れ部分の縦軸に対して垂直な方向に延在すると共にこのスライド締止部材２０の上面から垂直に掘り下げられた溝部２３が設けられている。尚、本実施形態の溝部２３は、スライド締止部材２０の高さの約半分まで掘り下げられている。スライド締止部材２０を挿通部１ｂから取り外す際には、溝部２３に指や板材を挿入して引っ張ることによりスライド締止部材（係合手段）２０を挿通部１ｂから取り外すことができる。つまり、本実施形態の固定具１は、このスライド締止部材２０を含めてファイル用綴具の固定具を形成することになる。
【００４２】
さらに、図１に示すように、ファイル本体２に設けられた貫通孔４ｂと綴具３に設けられた貫通孔６ｂには、上述した挿通部１ｂの首部１３，括れ部１４，台脚部１５のパーツと同様の構成を有するリベット３０が挿通され、その括れ部１４に上記スライド締止部材２０を嵌め込むことにより、綴具３を背表紙２ｂに固定することができる。尚、本実施形態に係る固定具１，リベット３０，スライド締止部材２０は、射出成形によって製造することにより寸法精度を高めることができる。例えば、固定具１及びリベット３０は、衝撃強度に優れているポリカーボネイトを用い、スライド締止部材２０は、クリープ特性弾性が優れているポリアセタールを原料として成形すると好ましい。これによって、綴具３をガタツキが少なく且つ繰り返し綴具３を着脱しても固定具１及びリベット３０が破損し難い構造を達成することができる。
【００４３】
このように、本実施形態の固定具１によれば、挿通部１ｂ及びリベット３０とスライド締止部材２０により綴具３を固定したとき、プレート部１ａが背表紙２ｂの表面に沿って配されるため、プレート部１ａをファイル本体２の見出し（インデックス）とすることができる。これにより、綴具３を固定する部品と、見出しを取り付ける部品とを別々に設ける必要がなくなるため、部品点数を減らすことができ、製造・組み立てを容易にすることができる。
【００４４】
また、本実施形態の固定具１には、引っ掛け部１ｃが設けられ、この引っ掛け部１ｃをファイル本体２の背表紙に設けられたスリット５に引っ掛けるようにして固定具１を装着するため、固定具１の背表紙２ｂに対する固定力を高めることができる。特に、引っ掛け部１ｃは、スリット５に引っ掛かるように下向きの鉤状に形成されているため、専用の取り付け部品無しでも、固定具１自身の荷重によって背表紙２ｂに取り付くことが可能となる。
【００４５】
また、プレート部１ａに枠体１０を設けたことにより、見出し用紙だけでなくその上に透明なフィルムも枠体１０内に嵌め込むことができる。これにより、ファイルの中身に応じた見出しの書き換えを容易に行うことができると共にフィルムにより見出し用紙の損傷や水などの侵入を防止することができる。
【００４６】
また、本実施形態の固定具１は、嵌合されているスライド締止部材２０を取り外すことにより、綴具３をファイル本体２から容易に取り外すことができる。これにより、ユーザは容易な作業でファイルを分解（解体）することができるため、分別回収率を向上させることも可能となる。加えて、分別した後の部品に、極端に小さい部品が含まれていないため、紛失する危険を低減し、効果的に再利用することができる。
＜その他の実施態様１＞
本実施の形態の固定具１は、図９に示すように、背表紙２ｂとほぼ同じ大きさに形成されたプレート部１ａを設けた態様とすることもできる。この場合、図１０に示すように挿通部１ｂを上下に一つずつ設け、ファイル本体２の背表紙２ｂに設けられた貫通孔４ａ，４ｂに嵌め込むようにする。
【００４７】
このように、一つの固定具１に二つの挿通部１ｂを設けることにより、上述したリベット３０（図１参照）が不要となり、更に部品点数を減らすことが可能となる。
＜その他の実施態様２＞
本実施形態の固定具１は、背表紙２ｂの内側に綴具３を固定するとして説明したが、その他の態様２の固定具１としては、図１１に示すように、背表紙２ｂに限ることなく、表紙２ａや裏表紙２ｃに綴具を取り付けるようにしてもよい。
【００４８】
これにより、背見出しとは別の場所に見出しを設けることができるため、さらに細かいタイトルを記載したり、区分け方法に応じたタイトルを記載したり、ファイルの収納方法に応じてタイトルを記載したりすることが可能となり、ファイルの汎用性が高まる。
【００４９】
以上、本発明の好適な実施例について説明したが、本発明はこれに限定されることなく、本発明の技術的思想を逸脱することなく種々の設計変更をなしえることは勿論である。
【図面の簡単な説明】
【００５０】
【図１】本実施形態のファイル用綴具の固定具の取り付け状態を示す分解斜視図である。
【図２】本実施形態のファイルの平面図である。
【図３】本実施形態の綴具の平面図である。
【図４】本実施形態の固定具の平面図である。
【図５】本実施形態の固定具の側面図である。
【図６】図４のＡ−Ａ‘断面図である。
【図７】本実施形態に係るスライド締止部材の平面図である。
【図８】本実施形態に係るスライド締止部材の側面図である。
【図９】その他の実施態様１の固定具をファイルに取り付けた状態の斜視図である。
【図１０】その他の実施態様１の固定具の断面図である。
【図１１】その他の実施態様２の固定具をファイルに取り付けた状態の斜視図である。
【符号の説明】
【００５１】
１  固定具
１ａ  プレート部（取付手段）
１ｂ  挿通部（取付手段）
１ｃ  引っ掛け部
２  ファイル本体
２ａ  表紙
２ｂ  背表紙
２ｃ  裏表紙
３  綴具
４ａ，４ｂ  貫通孔
５  スリット
６  基台
６ａ，６ｂ  貫通孔
７，８  リング部材
９ａ，９ｂ  周囲部
１０  枠体
１１  面板部
１２ａ，１２ｂ  切り溝
１３  首部
１４  括れ部
１５  台脚部
２０  スライド締止部材（係合手段）
２１  開口部
２２  円形空間
２３  溝部
３０  リベット
【図１】
2006334988.tif 000003
【図２】
2006334988.tif 000004
【図３】
2006334988.tif 000005
【図４】
2006334988.tif 000006
【図５】
2006334988.tif 000007
【図６】
2006334988.tif 000008
【図７】
2006334988.tif 000009
【図８】
2006334988.tif 000010
【図９】
2006334988.tif 000011
【図１０】
2006334988.tif 000012
【図１１】
2006334988.tif 000013